(57)【要約】      （修正有）【課題】フラットワイヤを直接連絡させるコネクタを提供する。【解決手段】フラットワイヤを直接連絡させるコネクタ１０は、固定装置を挟み込み、並びにフラットワイヤに応用でき、第一接続部１２と第二接続部１４を含む。第一接続部は第一接続部の第一フック１２２を通じ固定装置へと固定する事ができ、また第一接続部の第一位置合わせユニット１２１０と第二接続部の第二位置合わせユニット１４１０が位置合わせを行った後、第二接続部の分岐パーツ１４６を第一接続部の第三開口部１２８へと通過させ、第二接続部の第二フック１４２を第一接続部の第一開口部１２４へと挿入し、第二接続部の第三フックを第一接続部の第二開口部１２６へと挿入することで、フラットワイヤが第二接続部の第一挿入口と第二挿入口のうち少なくとも一つを通過し挿入パーツ１４８の側縁まで達する。【選択図】図１
0003222125.tif 000002
【実用新案登録請求の範囲】
【請求項１】
固定装置を挟み込み、並びにフラットワイヤに応用できる、フラットワイヤを直接連絡させるコネクタであり、前記フラットワイヤを直接連絡させるコネクタが第一接続部と、第二接続部とを含み、
前記第一接続部には第一開口部と、第二開口部と、第三開口部が形成され、前記第一接続部が第一フックと第一位置合わせユニットを備え、
前記第二接続部には第二位置合わせユニットが形成され、前記第二接続部が分岐パーツと、第二フックと、第三フックと、挿入パーツを備え、その内前記分岐パーツが前記第二接続部で第一挿入口と第二挿入口を形成し、
その内、前記第一接続部が前記第一フックにより前記固定装置へ固定され、また前記第一位置合わせユニットと前記第二位置合わせユニットが位置合わせを行った後、前記分岐パーツが前記第三開口部を通過し、前記第二フックが前記第一開口部へ挿入され、前記第三フックが前記第二開口部へ挿入され、前記フラットワイヤが前記第一挿入口と前記第二挿入口のうちの少なくとも一つを通過し前記挿入パーツの側縁まで達する事を特徴とするフラットワイヤを直接連絡させるコネクタ。
【請求項２】
前記第一開口部と前記第二開口部が前記第一接続部の周縁に形成され、前記第三開口部が前記第一接続部の中央部に形成される事を特徴とする、請求項１に記載のフラットワイヤを直接連絡させるコネクタ。
【請求項３】
前記第一接続部の形状が矩形であり、前記第一開口部と前記第二開口部が前記矩形の周縁に形成され、前記第一開口部が前記矩形の長辺に形成され、前記第二開口部が前記矩形の短辺に形成される事を特徴とする、請求項２に記載のフラットワイヤを直接連絡させるコネクタ。
【請求項４】
前記第一開口部の数量及び前記第二開口部の数量がそれぞれ相対して設置される事を特徴とする、請求項３に記載のフラットワイヤを直接連絡させるコネクタ。
【請求項５】
前記分岐パーツが前記第二接続部の中央部に形成され、且つ前記分岐パーツが前記中央部に前記第一挿入口と前記第二挿入口とを形成する事を特徴とする、請求項１に記載のフラットワイヤを直接連絡させるコネクタ。
【請求項６】
前記第二接続部の形状が矩形であり、前記第二フックと前記第三フックが前記矩形の周縁に形成され、前記第二フックが前記矩形の長辺に形成され、前記第三フックが前記矩形の短辺に形成される事を特徴とする、請求項５に記載のフラットワイヤを直接連絡させるコネクタ。
【請求項７】
前記挿入パーツが、ソケットを備える外部の回路板に挿入される事を特徴とする、請求項１に記載のフラットワイヤを直接連絡させるコネクタ。
【請求項８】
前記第一位置合わせユニットが柱体、前記第二位置合わせユニットが槽体、あるいは前記第一位置合わせユニットが槽体、前記第二位置合わせユニットが柱体である事を特徴とする、請求項１に記載のフラットワイヤを直接連絡させるコネクタ。
【請求項９】
前記第一フックのピンが外向きに設置される事を特徴とする、請求項１に記載のフラットワイヤを直接連絡させるコネクタ。
【請求項１０】
前記第一フックの長さが前記固定装置の厚みより大きくない事を特徴とする、請求項９に記載のフラットワイヤを直接連絡させるコネクタ。
【考案の詳細な説明】
【技術分野】
【０００１】
本考案はコネクタの技術分野に属し、特に固定装置に固定する事ができ、並びにフラットワイヤを直接的に回路板へ連絡させる事ができる、フラットワイヤを直接連絡させるコネクタに関する。
【背景技術】
【０００２】
フラットワイヤが回路板と直接的に電気的に接続することについて、従来の方法としては表面実装の技術を通じてフラットワイヤを直接的に回路板上に溶接する方法がある。
【０００３】
しかし、表面実装の技術はフラットワイヤを回路板上へ直接電気的に接続させられるものの、もし修正する場合、溶接を剥がす方法を通じてしかフラットワイヤを回路板から離脱させることができず、この方法だとメンテナンスや修正を不便にさせ、かつ複雑化させてしまう。
【０００４】
以上の問題を鑑み、本考案は従来のコネクタが引き起こす問題を解決する、フラットワイヤを直接連絡させるコネクタを提供する。
【考案の概要】
【０００５】
本考案の第一の目的は、直接的に固定装置へ固定する事ができ、フラットワイヤをコネクタを通じて回路板へと接続させる事ができる、フラットワイヤを直接連絡させるコネクタを提供することである。
【０００６】
本考案の第二の目的は、前述のフラットワイヤを直接連絡させるコネクタをもとに、第一接続部と第二接続部の２つに分離する事ができ、第一接続部と第二接続部の間にある開口とフックの係合を通じ、第一接続部と第二接続部を緊密に結合させる事である。
【０００７】
本考案の第三の目的は、前述のフラットワイヤを直接連絡させるコネクタをもとに、第一接続部と第二接続部にそれぞれ位置合わせユニットが設置され、スムーズな結合を実現させることである。
【０００８】
以上に述べた目的とその他目的を達成するため、本考案は固定装置を挟み込み、並びにフラットワイヤに応用できる、フラットワイヤを直接連絡させるコネクタを提供する。フラットワイヤを直接連絡させるコネクタは第一接続部と第二接続部を含む。第一接続部には第一開口部と、第二開口部と、第三開口部が形成されている。第一接続部は第一フックと第一位置合わせユニットを備える。第二接続部には第二位置合わせユニットが形成される。第二接続部は分岐パーツと、第二フックと、第三フックと、挿入パーツを備える。その内、分岐パーツは第二接続部で第一挿入口と第二挿入口を形成する。その内、第一接続部は第一フックを通じ固定装置へ固定でき、また第一位置合わせユニットと第二位置合わせユニットが位置合わせを行った後、分岐パーツは第三開口部を通過し、第二フックは第一開口部へ挿入され、第三フックは第二開口部へ挿入され、フラットワイヤが第一挿入口と第二挿入口内の少なくとも一つを通過し挿入パーツの側縁まで達する事ができる。
【０００９】
従来の技術と比較すると、本考案が提供するフラットワイヤを直接連絡させるコネクタは、固定装置へ直接的に設置する事ができ、固定装置内部のフラットワイヤがコネクタを通過し、外部の回路板と結合される。
【図面の簡単な説明】
【００１０】
【図１】本考案の第一実施例におけるフラットワイヤを直接連絡させるコネクタの構造図である。
【図２】本考案の図１の第一接続部を説明する平面図（ａ）及び底面図（ｂ）である。
【図３】本考案の図１の第二接続部を説明する平面図（ａ）及び底面図（ｂ）である。
【図４】本考案の図１の第一接続部と第二接続部の結合を説明する見取り図である。
【図５】本考案の図１のフラットワイヤを直接連絡させるコネクタが固定装置を挟み込み、並びに第一ワイヤと第二ワイヤの結合へ応用される状態を説明する図である。
【考案を実施するための形態】
【００１１】
本考案の目的、特徴及び効果についての理解に資するために、以下に述べる具体的な実施例を通じて、並びに付属の図面と合わせて、本考案の詳細な説明をする。説明文は以下である。
【００１２】
本考案の要素の個数は、特に記載がない場合を除き、一つまたは少なくとも一つであり、且つ複数である場合を含むことを理解されたい。
【００１３】
本考案における「含む」や「備える」またそれらに類似する用語は、被排他的な包括物を網羅していることを意味する。例えば、複数の要素を含むユニットや構造、製品、装置は、本文に記載される要素に限らず、記載がないが当該ユニットや構造、製品、装置が通常有しうる他の要素を包括することも出来る。これ以外に、特に記載がない場合を除き、本文中の「または」という用語は包括的意味合いとして用いられ、排他的意味合いを具備しない。
【００１４】
図１は本考案の実施例におけるフラットワイヤを直接連絡させるコネクタの構造見取り図である。図１において、フラットワイヤを直接連絡させるコネクタ１０は前記第一接続部１２と前記第二接続部１４を含む。
【００１５】
図２，即ち本考案の図１の第一接続部１２を説明する平面図（ａ）と底面図（ｂ）を合わせて参照する。前記第一接続部１２には第一開口部１２４と、第二開口部１２６と、第三開口部１２８が形成されている。本実施例において、前記第一接続部１２は矩形を例に説明する。他の実施例においてはその他の形状でも可とする。矩形の前記第一接続部１２は長辺と短辺を備える。長辺の辺縁部には４個の第一開口部１２４を備え、短辺には２個の第二開口部１２６を備えており、前記第一開口部１２４の数量と前記第二開口部１２６の数量はそれぞれが相対するよう設置され、対応する作用力を提供し、図５のとおり、前記第一接続部１２を固定装置２へしっかりと固定させる。前記第三開口部１２８は前記第一接続部１２の中央部にある。図５の第一ワイヤ２２２と第二ワイヤ２４２を合わせて参照すると、本実施例において、前記第三開口部１２８の幅はフラットワイヤの幅と等しい、あるいはそれよりも大きい。
【００１６】
以上の他に、前記第一接続部１２は第一フック１２２と第一位置合わせユニット１２１０を含む。前記第一フック１２２の数量は８個であり、且つそれぞれ前記第一接続部１２の下側面に設置され（図１を参照）、前記第一フック１２２はピンを備える。本実施例において、ピンは外側へ伸びており、固定装置２に引っ掛かる事ができる。また、前記第一フック１２２の長さは前記固定装置２の厚みと等しく、あるいはそれよりも小さく設定できる。前記第一位置合わせユニット１２１０は柱体（或いは肋体と呼称）を例に説明しているが、他の実施例においては槽体でも可とし、後述の第二位置合わせユニット１４１０へと照準をあわせられるなら、それは本考案の範囲を脱さない。注意すべき点は、前述した数量は説明に資するためであり、本考案を限定するわけではない。
【００１７】
図３，即ち本考案の図１の第二接続部１４を説明する平面図（ａ）と底面図（ｂ）を合わせて参照する。前記第二接続部１４には前記第二位置合わせユニット１４１０が形成されている。前記第二位置合わせユニット１４１０は槽体を例に説明しており、柱体である前記第一位置合わせユニット１２１０に合わせるために用いられる。本実施において、前記第二接続部１４は矩形を例に説明しているが、他の実施例においてはその他の形状でも可とする。矩形である前記第二接続部１４も長辺と短辺を備える。前記第二接続部１４は分岐パーツ１４６と、第二フック１４２と、第三フック１４４と、挿入パーツ１４８を備える。前記分岐パーツ１４６は前記第二接続部１４の中央部に形成されており、また前記第二接続部１４には第一挿入口１４１２と第二挿入口１４１４が形成されている。その内、前記第一挿入口１４１２と前記第二挿入口１４１４のスリットの幅はフラットワイヤの厚みと等しい、あるいはそれよりも大きく、フラットワイヤが通過できるようになっている。前記挿入パーツ１４８は図５のようにソケット６を備える回路板４に挿す事ができ、前記回路板４をフラットワイヤを直接連絡させるコネクタ１０に安定して設置する事ができる。
【００１８】
図４、本考案の図１の第一接続部１２と第二接続部１４の結合を説明する見取り図を合わせて参照すると、前記第一接続部１２と前記第二接続部１４が結合した後、前記第一接続部１２は前記第一フック１２２を通じ前記固定装置２へ固定する事ができ、前記第一接続部１２は前記固定装置２へしっかりと固定させる事ができる。前記第一接続部１２と前記第二接続部１４が結合する過程では、前記第一位置合わせユニット１２１０と前記第二位置合わせユニット１４１０が位置合わせを行うことで、前記分岐パーツ１４６が前記第三開口部１２８を通過し、それと同時に前記第二フック１４２も前記第一開口部１２４に挿入されることで係合され、前記第三フック１４４も前記第二開口部１２６へ挿入されることで係合され、フラットワイヤが前記第一挿入口１４１２及び／あるいは前記第二挿入口１４１４から前記挿入パーツ１４８の側縁まで挿入されるようになっている。
【００１９】
図５は本考案の図１のフラットワイヤを直接連絡させるコネクタ１０が固定装置２を挟み込み、並びに第一ワイヤ２２２と第二ワイヤ２４２の結合へ応用される状態を説明する見取り図である。図５において、前記固定装置２に回路板が設置されており、且つ回路板上に第一連接器２２と第二連接器２４が設置されている。例えば、前記第一連接器２２と前記第二連接器２４は自動鎖錠型（ＡｕｔｏＬｏｃｋ）のコネクタであり、前記第一ワイヤ２２２と前記第二ワイヤ２４２の一端はそれぞれ自動で鎖錠及び電気的に接続ができ、前記第一ワイヤ２２２と前記第二ワイヤ２４２のもう一端は前記フラットワイヤを直接連絡させるコネクタ１０の前記第一挿入口１４１２及び前記第二挿入口１４１４を経由し前記固定装置２を通過することが出来る。この時、前記フラットワイヤを直接連絡させるコネクタ１０の前記第二接続部１４は前記挿入パーツ１４８を通じて前記ソケット６へ挿され、前記第一ワイヤ２２２と前記第二ワイヤ２４２が直接的に前記回路板４へと連絡され、前記第一ワイヤ２２２と前記第二ワイヤ２４２のもう一端が前記回路板４と電気的に接続される。
【００２０】
上述に本考案の典型的実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００２１】
２                            固定装置
２２２        第一ワイヤ
２４２        第二ワイヤ
４        回路板
６        ソケット
１０        フラットワイヤを直接連絡させるコネクタ
１２        第一接続部
１２２        第一フック
１２４        第一開口部
１２６        第二開口部
１２８        第三開口部
１２１０        第一位置合わせユニット
１４        第二接続部
１４２        第二フック
１４４        第三フック
１４６        分岐パーツ
１４８        挿入パーツ
１４１０        第二位置合わせユニット
１４１２        第一挿入口
１４１４        第二挿入口
【図１】
0003222125.tif 000003
【図２】
0003222125.tif 000004
【図３】
0003222125.tif 000005
【図４】
0003222125.tif 000006
【図５】
0003222125.tif 000007